(57)【要約】２つの光ファイバ線の間の光接続システム（１）であって、ベース（２）に回転可能に取り付けられ、同じ回転の平面（１３）上で回転し、視線を前記回転の平面（１３）に平行な平面内で回転させる入力線コリメータ（５）および出力線コリメータ（９）、ならびに前記コリメータ（５、９）に位置する光検出器（１５）を備えており、前記コリメータ（５、９）が、前記コリメータ（５、９）の一方から送信される光信号が他方のコリメータ（９、５）の前記光検出器（１５）による所望の受光レベルに達するまで回転可能であることで、前記コリメータ（５、９）の視線が互いに整列させられる光接続システム。【選択図】図４
2012515360.tif 000002
【特許請求の範囲】
【請求項１】
２つの光ファイバ線の間の光接続システム（１）であって、
ベース（２）に回転可能に取り付けられ、同じ回転の平面（１３）上で回転する入力線コリメータ（５）および出力線コリメータ（９）であり、これらのコリメータの視線を前記回転の平面（１３）に平行な平面内で回転させる、当該入力線コリメータ（５）および出力線コリメータ（９）と、
前記コリメータ（５、９）に配置された光検出器（１５）とを備え、
前記コリメータ（５、９）が、前記コリメータ（５、９）の一方から送信される光信号が他方のコリメータ（９、５）の前記光検出器（１５）による所望の受光レベルに達するまで回転可能であることで、前記コリメータ（５、９）の視線が互いに整列させられる、光接続システム。
【請求項２】
前記コリメータ（５、９）が、前記ベース（２）に取り付けられた回転モータ（６）に取り付けられる、請求項１に記載の光接続システム（１）。
【請求項３】
前記モータ（６）が、圧電モータを含む、請求項２に記載の光接続システム（１）。
【請求項４】
前記ベース（２）に回転可能に取り付けられた複数組の入力線コリメータ（５）および出力線コリメータ（９）を備える、請求項１に記載の光接続システム（１）。
【請求項５】
前記入力線コリメータ（４２）が、円の中心に位置し、複数の出力線コリメータ（４３）が、コリメータ（４２）に面してコリメータ（４２）の周囲に放射状に取り付けられている、請求項１に記載の光接続システム（１）。
【請求項６】
前記コリメータ（５、９）が、ピッグテール形コリメータを含む、請求項１に記載の光接続システム（１）。
【請求項７】
前記光信号をもたらす制御ファイバスプリッタ（５３）を備える、請求項１に記載の光接続システム（１）。
【請求項８】
２つの光ファイバ線の間の光接続システム（１）のコリメータ（５、９）の視線を互いに整列させるための方法であって、
入力線コリメータ（５）および出力線コリメータ（９）を、同じ回転の平面（１３）上で回転し、該コリメータ（５、９）の視線を前記回転の平面（１３）に平行な平面内で回転させるように、ベース（２）に回転可能に取り付けるステップと、
光検出器（１５）を前記コリメータ（５、９）に位置させて設けるステップと、
前記コリメータ（５、９）の一方から送信される光信号が他方のコリメータ（９、５）の前記光検出器（１５）による所望の受光レベルに達するまで、前記コリメータ（５、９）を繰り返し回転させ、該コリメータ（５、９）の視線を互いに整列させるステップと、を含む方法。
【発明の詳細な説明】
【技術分野】
【０００１】
本発明は、広くは、光ファイバのパッチパネル端子など、入力光ファイバの入力線アレイの任意の構成員と光ファイバ線の出力アレイの任意の構成員との間のピッグテール形コリメータによる相互接続を備えている光接続に関する。
【背景技術】
【０００２】
光ファイバの配線盤、パッチパネル、および終端装置は、今日では、光ファイバネットワークに組み込まれる最後の手作業による設置の第１層の接続製品である。今日では、ピッグテール形コリメータを使用するいくつかの構成が利用可能であるが、それらの視線を互いに整列させるために、上下および左右など、二次元の線形方向ヘッドが必要である。
【発明の概要】
【課題を解決するための手段】
【０００３】
本発明の実施の形態によれば、光接続が、それぞれがピッグテール形コリメータを終端としている２つの光ファイバ線の間にもたらされ、コリメータの視線が、さらに詳しくは後述されるように、回転式の支持体（例えば、モータ）上でコリメータを回転させることによって互いに整列させられる。
【０００４】
このように、本発明の一実施の形態によれば、２つの光ファイバ線の間の光接続システムであって、ベースに回転可能に取り付けられ、同じ回転の平面上で回転し、視線を前記回転の平面に平行な平面内で回転させる入力線コリメータおよび出力線コリメータ、ならびに前記コリメータに位置する光検出器を備えており、前記コリメータが、前記コリメータの一方から送信される光信号が他方のコリメータの前記光検出器による所望の受光レベルに達するまで回転可能であることで、前記コリメータの視線が互いに整列させられる光接続システムが提供される。
【０００５】
本発明の一実施の形態によれば、コリメータが、ベースに取り付けられた回転モータに取り付けられる。複数組の入力線コリメータおよび出力線コリメータを、ベース上に回転可能に取り付けることができる。
【０００６】
本発明の一実施の形態によれば、入力線コリメータが、円の中心に位置し、複数の出力線コリメータが、コリメータに面してコリメータの周囲に放射状に取り付けられている。
【０００７】
本発明の一実施の形態によれば、コリメータが、ピッグテール形コリメータを含んでいる。
【０００８】
本発明の一実施の形態によれば、制御ファイバスプリッタが、光信号をもたらす。
【０００９】
さらに、本発明の一実施の形態によれば、２つの光ファイバ線の間の光接続システムのコリメータの視線を互いに整列させるための方法であって、入力線コリメータおよび出力線コリメータを、同じ回転の平面上で回転し、該コリメータの視線を前記回転の平面に平行な平面内で回転させるように、ベースに回転可能に取り付けるステップ、光検出器を前記コリメータに位置させて設けるステップ、および前記コリメータの一方から送信される光信号が他方のコリメータの前記光検出器による所望の受光レベルに達するまで、前記コリメータを繰り返し回転させ、該コリメータの視線を互いに整列させるステップを含んでいる方法が提供される。
【００１０】
開示される技法が、図面と併せて検討される以下の詳細な説明から、より充分に理解および認識されるであろう。
【図面の簡単な説明】
【００１１】
【図１Ａ】本発明の実施の形態による２つの光ファイバ線の間（入力線アレイの１つの線から出力線アレイの１つの線へ）の光接続システムの概略の全体図である。
【図１Ｂ】本発明の実施の形態による２つの光ファイバ線の間（入力線アレイの１つの線から出力線アレイの１つの線へ）の光接続システムの概略の正面図である。
【図２Ａ】入力線アレイの１つの線から出力線アレイの１つの線への充分に整列した光接続を含んでいる本発明の実施の形態によるシステムの概略の全体図である。
【図２Ｂ】入力線アレイの１つの線から出力線アレイの１つの線への充分に整列した光接続を含んでいる本発明の実施の形態によるシステムの概略の正面図である。
【図３】本発明の実施の形態に従って受信および送信コリメータの光の視線を回転させることができる平面の概略の全体的な側面図である。
【図４】本発明の実施の形態に従って回転モータに取り付けられたピッグテール形コリメータおよび該コリメータから出射される平行な光ビームの概略の全体図である。
【図５Ａ】本発明の実施の形態による入力線アレイの線と出力線アレイの線との間の３つの光接続を含んでいるシステムの概略の全体図である。
【図５Ｂ】本発明の実施の形態による入力線アレイの線と出力線アレイの線との間の３つの光接続を含んでいるシステムの概略の正面図である。
【図５Ｃ】本発明の実施の形態による入力線アレイの線と出力線アレイの線との間の３つの光接続を含んでいるシステムの概略の側面図である。
【図６Ａ】本発明の実施の形態に従ってモータ（例えば、圧電モータ）に取り付けられたピッグテール形コリメータ付きのただ１つの光ファイバ入力線および円に取り付けられた出力線のアレイならびにコリメータから出射される光ビームの全体図である。
【図６Ｂ】本発明の実施の形態に従ってモータ（例えば、圧電モータ）に取り付けられたピッグテール形コリメータ付きのただ１つの光ファイバ入力線および円に取り付けられた出力線のアレイならびにコリメータから出射される光ビームの正面図である。
【図７】本発明の実施の形態による２本の光ファイバが取り付けられた二焦点コリメータの概略の全体図である。
【図８Ａ】２本の光ファイバが取り付けられた二焦点コリメータの概略の側面図である。
【図８Ｂ】２本の光ファイバが取り付けられた二焦点コリメータの概略の断面図である。
【図９Ａ】本発明の実施の形態による二焦点レンズの概略の全体図である。
【図９Ｂ】本発明の実施の形態による二焦点レンズの概略の正面図である。
【発明を実施するための形態】
【００１２】
次に、本発明の一実施の形態（これに限られるわけではない）による２本の光ファイバ線の間の光接続システム１を示している図１Ａおよび１Ｂを参照する。
【００１３】
システム１は、入力線（受信）ピッグテール形コリメータ５および出力線（送信）ピッグテール形コリメータ９が取り付けられる共通ベース２を備えている。コリメータ５および９は、ベース２から突き出した支持板３上の回転モータ６（例えば、圧電モータ、ステップモータ、または他の適切な回転装置）に取り付けられている。両方のコリメータ５および９が、同じ回転の平面上で回転する。コリメータの視線が、この回転の平面に平行な平面内を回転する。モータ６が、位置４に取り付けられる。光ビーム７および８が、それぞれコリメータ５および９から出射される。最初は、光ビーム７が、光ビーム８に完全には整列していない。図１Ｂが、ビーム７および８の不整列を分かりやすく示している。コリメータ５および９は、光検出器１５を備えている。
【００１４】
本発明の実施の形態によれば、コリメータ５および９が、一方のコリメータから送信される光信号が他方のコリメータの光検出器による所望の受信レベルに達するまで、回転の反復によって回転させられることで、コリメータの相互の視線が整列させられる。
【００１５】
コリメータの相互の視線の整列は、両方のコリメータ、すなわち入力線からの一方のコリメータと出力線からの他方のコリメータに、これらのコリメータが互いに大まかに面するようにおおむね方向性の回転が与えられる開ループの反復手順によって達成される。次いで、一方のコリメータからの光信号が、受光側のコリメータの光検出器によって測定される。次いで、小さな回転運動が、一方のコリメータの回転支持部へと２つの回転方向（例えば、時計方向および反時計方向）に加えられ、最適な位置が達成されるまで、検出される最良の光信号が以前の位置と比較される。
【００１６】
これが、最初の反復である。同じ手順が、他方のコリメータを２つの方向に回転させることによって実行され、両者の間で受け渡される光信号がより良好になる。これが、第２の反復である。これらの反復を、受け渡される光信号が充分になるまで、繰り返すことができる。次いで、この手順が、線の他のペアについても繰り返される。
【００１７】
図２Ａおよび２Ｂは、共通の視線１２へと完了した整列を示している。図３は、図２Ａおよび２Ｂの整列の側面図であり、コリメータが回転する回転の平面１３を示している。
【００１８】
上述のシステムを、入力線および出力線のさまざまな数のコリメータにおいて、同じ数のコリメータの２つの平行線や、同じ数のコリメータの２つの平行な曲線や、これらの任意の組み合わせなど、互いに面する任意の２つの平行な光ファイバのピッグテール形コリメータに適用することができる。
【００１９】
すべての光ビームが同じ平面内を通過するため、隣接する線の間のいくつかのビームが互いに交差するであろうが、物理学の法則によれば、任意の２つの対向するコリメータの間で受け渡される信号の劣化は、生じない。
【００２０】
次に、コリメータの保持および回転のための機構の別の例を示している図４を参照する。この実施の形態においては、ピッグテール形コリメータアセンブリ１６が、コリメータ１８、光ファイバ線２０、圧電モータの固定子および回転子１９、およびコリメータ１８を保持するホルダ２１を備えている。平行な光ビーム１７が、コリメータ１８から出射される。
【００２１】
次に、図５Ａ、５Ｂ、および５Ｃを参照すると、スイッチング装置２５が示されており、このスイッチング装置２５が、ピッグテール形コリメータ２６、２７、および２８を有する３つの入力線の光ファイバ線と、これらに同じ平面上で対向し、ピッグテール形コリメータ３１、３２、および３３を有する３つの出力線の光ファイバ線とを備えている。線２６が、線３２へと光学的に接続され、線２７が、線３２へと接続され、線２８が、線３３へと接続されている。光ビームによってコリメータへと（コリメータから）接続された線が、点２９および３０において互いに交差している。図５Ｂが、図５Ａの正面図であり、光ビームの回転の平面内の交点２９および３０を示している。
【００２２】
別の実施の形態は、入力線の光ファイバのピッグテール形コリメータを円の中心に配置して備えており、この円上に、出力線コリメータの出力線が、ピッグテール形コリメータに面して取り付けられている。そのような実施の形態が、円形のアレイ４１に取り付けられた円形のスイッチング装置４０を示している図６Ａおよび６Ｂに、概略的に示されている。入力線の光ファイバーのピッグテール形コリメータ４２が、円の中心に位置しており、出力線４３が、コリメータ４２に面してコリメータ４２の周囲に放射状に取り付けられている。
【００２３】
次に、図７を参照する。本発明の別の実施の形態によれば、非包括的な制御ファイバスプリッタ５３が、二焦点ピッグテール形光ファイバコリメータ５１の視線を整列させるために、上述の整列手順において使用される送信−受信光信号として機能する。主コリメータレンズ５６が、二焦点レンズ５５を含んでおり、あるいは二焦点レンズ５５へと変更されている。主光ファイバ線５２が、コリメータ本体５４の中心に進入する。非包括的な制御ファイバスプリッタ５３が、コリメータ本体５４に対して偏心して取り付けられている。
【００２４】
次に、図８Ａおよび８Ｂを参照すると、到来する平行光を主光ファイバ線５２の端点である焦点６６に集中させる集光円錐６５を有する主レンズ５６と、到来する平行光を非包括的な制御ファイバスプリッタ５３の光ファイバ線の端点である焦点６４に集中させる集光円錐６３を有する副レンズ５５とが示されている。
【００２５】
図９Ａが、二焦点レンズ６０の全体図である。図９Ｂが、主レンズ５６および二焦点レンズ５５を有する二焦点レンズ６０を示している。
【図１Ａ】
2012515360.tif 000003
【図１Ｂ】
2012515360.tif 000004
【図２Ａ】
2012515360.tif 000005
【図２Ｂ】
2012515360.tif 000006
【図３】
2012515360.tif 000007
【図４】
2012515360.tif 000008
【図５Ａ】
2012515360.tif 000009
【図５Ｂ】
2012515360.tif 000010
【図５Ｃ】
2012515360.tif 000011
【図６Ａ】
2012515360.tif 000012
【図６Ｂ】
2012515360.tif 000013
【図７】
2012515360.tif 000014
【図８Ａ】
2012515360.tif 000015
【図８Ｂ】
2012515360.tif 000016
【図９Ａ】
2012515360.tif 000017
【図９Ｂ】
2012515360.tif 000018
【国際調査報告】
2012515360.tif 000019
2012515360.tif 000020
2012515360.tif 000021